(57)【特許請求の範囲】
【請求項１】
配線挿通窓を有した天板と、前記配線挿通窓の開口縁との間に配線挿通用の隙間を形成した状態でその配線挿通窓に配された配線カバーと、この配線カバーを前記天板に対して開閉動作可能に支持させるカバー支持機構とを備えた天板付家具であって、
前記カバー支持機構が、前記配線挿通窓に固定配置された第一、第二の枢支部と、前記配線カバーに設けられ前記第一、第二の枢支部に選択的に支持される被支持部とを備えたものであり、前記配線カバーが、前記第一の枢支部又は前記第二の枢支部に支持されて前記天板に対して起立した開放位置と、前記天板と同様な水平姿勢をとる閉止位置との間で回動可能に構成されたものであり、
前記被支持部を第一の枢支部に支持させた場合と、前記被支持部を第二の枢支部に支持させた場合とで、前記配線カバーの外縁と前記配線挿通窓の開口縁との間に形成される隙間の形態が相互に異なるように構成されている天板付家具。
【請求項２】
前記カバー支持機構が、前記配線カバーの被支持部を第一の枢支部に支持させた場合に、前記第二の枢支部が前記配線カバーの回動端側を係止するストッパとしての機能を発揮し、前記配線カバーの被支持部を第二の枢支部に支持させた場合に、前記第一の枢支部が前記配線カバーの回動端側を係止するストッパとしての機能を発揮し得るように構成されている請求項１記載の天板付家具。
【請求項３】
前記カバー支持機構が、前記配線カバーの両側部に位置させて前記配線挿通窓に設けられる左右一対のベースと、これら各ベースの前後方向一端側に設けられた前記第一の枢支部と、前記各ベースの前後方向他端側に設けられた前記第二の枢支部と、前記配線カバーにおける一方の端縁部近傍に設けられた左右対をなす前記被支持部とを備えたものである請求項１又は２記載の天板付家具。
【請求項４】
前記配線カバーと前記カバー支持機構との組合せ構造体を二組備えており、
前記配線挿通窓の一方の片半部に前記一方の組合せ構造体を配するとともに前記配線挿通窓の他方の片半部に前記他方の組合せ構造体を配している請求項３記載の天板付家具。
【請求項５】
前記二組の組合せ構造体が、前記配線挿通窓内に前後対称に配置されており、前記配線カバーの一方の端縁側に設けられた前記被支持部を、前記第一の枢支部にそれぞれ支持させた状態で、前記各配線カバーの他方の端縁と前記配線挿通窓の開口縁との間に前記隙間が形成され、
前記被支持部を、前記第二の枢支部にそれぞれ支持させた状態で、前記各配線カバーの他方の端縁間に前記隙間が形成されるように構成されている請求項４記載の天板付家具。
【請求項６】
前記配線カバーの左右両側端縁と前記配線挿通窓の開口縁との間に、常時開口する隙間が形成されるように構成されている請求項５記載の天板付家具。
【請求項７】
前記第一、第二の枢支部が、片持ち軸であり、前記被支持部が、前記片持ち軸に弾性的に外嵌する軸受部材である請求項１、２、３、４、５又は６記載の天板付家具。
【請求項８】
前記第一、第二の枢支部が、片持ち軸であり、前記被支持部が、前記片持ち軸に弾性的に外嵌する軸受部材であって、
前記配線カバーが、両側縁部に前記軸受部材に連続し前記第一の片持ち軸、又は、第二の片持ち軸がスライド可能に構成された溝を備えている請求項１、２、３、４、５、６又は７記載の天板付家具。
【請求項９】
前記第一、第二の枢支部が、片持ち軸であり、前記被支持部が、前記片持ち軸に弾性的に外嵌する軸受部材であって、
前記配線カバーの両側縁部における一方の端縁側近傍と他方の端縁側近傍に、一方の軸受部材と他方の軸受部材が設けられており、
前記配線カバーが、前記一方の軸受部材と他方の軸受部材との間に、前記第一の片持ち軸、又は、第二の片持ち軸がスライド可能に構成された溝を備えている請求項１、２、３、４、５、６、７又は８記載の天板付家具。
【発明の詳細な説明】
【技術分野】
【０００１】
本発明は、オフィス等において好適に使用される天板付家具に関する。
【背景技術】
【０００２】
従来から、天板に配線を挿通させるための配線挿通窓が形成され、この配線挿通窓に、当該配線挿通窓をカバーする配線カバーを着脱及び開閉動作可能に設けてなるテーブルが種々知られている（例えば、特許文献１を参照）。この種のテーブルにおいては、配線カバーを装着した状態においても、当該配線カバーの縁部と前記配線挿通窓の開口縁との間に、配線を挿通させるための隙間が形成されたものもある。
【０００３】
ところが、従来のテーブルでは、前記隙間が単一の決められた態様にしか形成されない構造となっており、種々の使用態様に適応させて、前記隙間の態様を変更させることができないものとなっていた。
【０００４】
なお、以上の事情は、テーブルに限られず、天板を有した家具全般においても同様である。
【先行技術文献】
【特許文献】
【０００５】
【特許文献１】特開２０１４−１２１６５０号公報
【発明の概要】
【発明が解決しようとする課題】
【０００６】
本発明は、以上のような事情に着目してなされたもので、少なくとも、配線挿通窓と配線カバーとの間に形成される隙間の形態を変更可能に構成した天板付家具を提供することにある。
【課題を解決するための手段】
【０００７】
すなわち、本発明は次の構成をなしている。
【０００８】
請求項１に記載の発明は、配線挿通窓を有した天板と、前記配線挿通窓の開口縁との間に配線挿通用の隙間を形成した状態でその配線挿通窓に配された配線カバーと、この配線カバーを前記天板に対して開閉動作可能に支持させるカバー支持機構とを備えた天板付家具であって、前記カバー支持機構が、前記配線挿通窓に固定配置された第一、第二の枢支部と、前記配線カバーに設けられ前記第一、第二の枢支部に選択的に支持される被支持部とを備えたものであり、前記配線カバーが、前記第一の枢支部又は前記第二の枢支部に支持されて前記天板に対して起立した開放位置と、前記天板と同様な水平姿勢をとる閉止位置との間で回動可能に構成されたものであり、前記被支持部を第一の枢支部に支持させた場合と、前記被支持部を第二の枢支部に支持させた場合とで、前記配線カバーの外縁と前記配線挿通窓の開口縁との間に形成される隙間の形態が相互に異なるように構成されている天板付家具である。
【０００９】
請求項２に記載の発明は、前記カバー支持機構が、前記配線カバーの被支持部を第一の枢支部に支持させた場合に、前記第二の枢支部が前記配線カバーの回動端側を係止するストッパとしての機能を発揮し、前記配線カバーの被支持部を第二の枢支部に支持させた場合に、前記第一の枢支部が前記配線カバーの回動端側を係止するストッパとしての機能を発揮し得るように構成されている請求項１記載の天板付家具である。
【００１０】
請求項３に記載の発明は、前記カバー支持機構が、前記配線カバーの両側部に位置させて前記配線挿通窓に設けられる左右一対のベースと、これら各ベースの前後方向一端側に設けられた前記第一の枢支部と、前記各ベースの前後方向他端側に設けられた前記第二の枢支部と、前記配線カバーにおける一方の端縁部近傍に設けられた左右対をなす前記被支持部とを備えたものである請求項１又は２記載の天板付家具である。
【００１１】
請求項４に記載の発明は、前記配線カバーと前記カバー支持機構との組合せ構造体を二組備えており、前記配線挿通窓の一方の片半部に前記一方の組合せ構造体を配するとともに前記配線挿通窓の他方の片半部に前記他方の組合せ構造体を配している請求項３記載の天板付家具である。
【００１２】
請求項５に記載の発明は、前記二組の組合せ構造体が、前記配線挿通窓内に前後対称に配置されており、前記配線カバーの一方の端縁側に設けられた前記被支持部を、前記第一の枢支部にそれぞれ支持させた状態で、前記各配線カバーの他方の端縁と前記配線挿通窓の開口縁との間に前記隙間が形成され、前記被支持部を、前記第二の枢支部にそれぞれ支持させた状態で、前記各配線カバーの他方の端縁間に前記隙間が形成されるように構成されている請求項４記載の天板付家具である。
【００１３】
請求項６に記載の発明は、前記配線カバーの左右両側端縁と前記配線挿通窓の開口縁との間に、常時開口する隙間が形成されるように構成されている請求項５記載の天板付家具である。
【００１４】
請求項７に記載の発明は、前記第一、第二の枢支部が、片持ち軸であり、前記被支持部が、前記片持ち軸に弾性的に外嵌する軸受部材である請求項１、２、３、４、５又は６記載の天板付家具である。
【００１５】
請求項８に記載の発明は、前記第一、第二の枢支部が、片持ち軸であり、前記被支持部が、前記片持ち軸に弾性的に外嵌する軸受部材であって、前記配線カバーが、両側縁部に前記軸受部材に連続し前記第一の片持ち軸、又は、第二の片持ち軸がスライド可能に構成された溝を備えている請求項１、２、３、４、５、６又は７記載の天板付家具である。
【００１６】
請求項９に記載の発明は、前記第一、第二の枢支部が、片持ち軸であり、前記被支持部が、前記片持ち軸に弾性的に外嵌する軸受部材であって、前記配線カバーの両側縁部における一方の端縁側近傍と他方の端縁側近傍に、一方の軸受部材と他方の軸受部材が設けられており、前記配線カバーが、前記一方の軸受部材と他方の軸受部材との間に、前記第一の片持ち軸、又は、第二の片持ち軸がスライド可能に構成された溝を備えている請求項１、２、３、４、５、６、７又は８記載の天板付家具である。
【発明の効果】
【００１７】
以上説明したように本発明によれば、配線挿通窓と配線カバーとの間に形成される隙間の形態を変更可能に構成した天板付家具をすることができるものとなる。
【図面の簡単な説明】
【００１８】
【図１】本発明の一実施形態を示す斜視図。
【図２】同実施形態における斜視図。
【図３】同実施形態における部分拡大斜視図。
【図４】同実施形態における要部の分解斜視図。
【図５】同実施形態における要部の部分拡大平面図。
【図６】図５におけるＵ−Ｕ線断面図。
【図７】同実施形態における要部の斜視図。
【図８】同実施形態における要部の部分拡大断面図。
【図９】図８におけるＺ部分拡大断面図。
【図１０】同実施形態における要部の部分拡大平面図。
【図１１】図１０におけるＶ−Ｖ線断面図。
【図１２】同実施形態における要部の斜視図。
【図１３】同実施形態における要部の部分拡大断面図。
【図１４】他の実施形態を説明するための底面側から見た分解斜視図。
【発明を実施するための形態】
【００１９】
以下、本発明の一実施形態を、図１〜１３を参照して説明する。なお、本明細書では、説明の便宜上、図１に示すＸ方向を前後方向と呼ぶものとし、図１に示すＹ方向を左右方向と呼ぶものとする。
【００２０】
この実施形態は、本発明を、オフィス等において好適に使用される天板付家具たるテーブルＡに適用したものである。テーブルＡは、例えば、天板１上において給電が必要なパソコン等の電子機器を使用した執務形態において好適に使用されるものとなっている。
【００２１】
テーブルＡは、主として電子機器の配線類を挿通させるための配線挿通窓１１を有した天板１と、前記配線挿通窓１１の開口縁Ｋとの間に配線挿通用の隙間Ｓを形成した状態でその配線挿通窓１１に配された配線カバー２と、この配線カバー２を前記天板１に対して開閉動作可能に支持させるカバー支持機構３とを備えたものである。
【００２２】
天板１は、平面視略正方形状をなすもので、その中央部に前記配線挿通窓１１を有している。この配線挿通窓１１は、平面視略正方形状をなしており、開口端面における天板１の下面側に近い部位には、前記配線挿通窓１１の左右両側端縁に関連させてねじ孔ｈ１を有した取付台座１２が凹設されている。
【００２３】
この実施形態では、テーブルＡは、前記配線カバー２と前記カバー支持機構３との組合せ構造体Ｃａ、Ｃｂを二組備えている。すなわち、配線挿通窓１１の一方の片半部１１ａに一方の組合せ構造体Ｃａを配しており、配線挿通窓１１の他方の片半部１１ｂに他方の組合せ構造体Ｃｂを配している。これら一方の組合せ構造体Ｃａと他方の組み合わせ構造体Ｃｂとは、前記配線挿通窓１１内に前後対称に配置されている。
【００２４】
以下、組み合わせ構造体Ｃａ、Ｃｂを構成する配線カバー２について説明する。
【００２５】
配線カバー２は、平面視略長方形状をなす天壁２１と、この天壁２１の一方の端縁ｊ１から下方に垂下する垂下壁２２と、前記天壁２１の下面に設けられた補強リブ２３とを備えたもので、合成樹脂により一体に形成されている。この配線カバー２は、第一の片持ち軸Ｄ又は第二の片持ち軸Ｅに支持されて天板１に対して起立した開放位置と、天板１と同様な水平姿勢をとる閉止位置との間で回動可能に構成されている。天壁１に設けられた軸受部材Ｆは、前記天壁２１の下面における一方の端縁ｊ１の近傍に左右に振り分けて一対設けられている。換言すれば、軸受部材Ｆは、天壁２１の両側部における垂下壁２２に近接した部位に対をなして配されている。
【００２６】
次いで、組み合わせ構造体Ｃａ、Ｃｂを構成するカバー支持機構３について説明する。
【００２７】
カバー支持機構３は、配線挿通窓１１に固定配置された第一、第二の枢支部たる第一、第二の片持ち軸Ｄ、Ｅと、前記配線カバー２の基端部に設けられ前記第一、第二の片持ち軸Ｄ、Ｅに選択的に支持される被支持部たる軸受部材Ｆとを備えたものである。そして、このカバー支持機構３は、前記軸受部材Ｆを第一の片持ち軸Ｄに支持させた場合と、前記軸受部材Ｆを第二の片持ち軸Ｅに支持させた場合とで、前記配線カバー２の外縁Ｊと前記配線挿通窓１１の開口縁Ｋとの間に形成される隙間Ｓの形態が相互に異なるように構成されている。
【００２８】
すなわち、前記配線カバー２の一方の端縁ｊ１側に設けられた軸受部材Ｆを、第一の片持ち軸Ｄにそれぞれ支持させた状態では、図１〜９に示すように、前記各配線カバー２の他方の端縁ｊ２と前記配線挿通窓１１の開口縁Ｋとの間に前記隙間Ｓ（ｓ１）が形成されるものとなる。また、前記軸受部材Ｆを、前記第二の片持ち軸Ｆにそれぞれ支持させた状態では、図１０〜１３に示すように、前記各配線カバー２における他方の端縁ｊ２間に前記隙間Ｓ（ｓ２）が形成されるように構成されている。なお、前記配線カバー２の左右両側端縁ｊ３と前記配線挿通窓１１の開口縁Ｋとの間には、常時開口する隙間Ｓ（ｓ３）が形成されるように構成されている。
【００２９】
カバー支持機構３は、配線カバー２の軸受部材Ｆを第一の片持ち軸Ｄに支持させた場合に、前記第二の片持ち軸Ｅが閉止位置にある前記配線カバー２の回動端側すなわち他方の端縁ｊ２近傍部を係止するストッパとしての機能を発揮し得るように構成されている。また、カバー支持機構３は、配線カバー２の軸受部材Ｆを第二の片持ち軸Ｅに支持させた場合に、前記第一の片持ち軸Ｄが閉止位置にある前記配線カバー２の回動端側すなわち他方の端縁ｊ２近傍部を係止するストッパとしての機能を発揮し得るように構成されている。
【００３０】
具体的に説明すれば、カバー支持機構３は、前記配線カバー２の両側部に位置させて前記配線挿通窓１１に設けられた左右一対のベース４と、これら各ベース４の前後方向一端側に設けられた第一の片持ち軸Ｄと、前記各ベース４の前後方向他端側に設けられた第二の片持ち軸Ｅと、前記配線カバー２における一方の端縁ｊ１寄りに設けられた左右対をなす軸受部材Ｆとを備えたもので、前記各ベース４が、天板１の取付台座１２にビスｖ１を用いて取付けられている。
【００３１】
ベース４は、第一の片持ち軸Ｄを支持する第一のブロック４１と、第二の片持ち軸Ｅを支持する第二のブロック４２と、前記第一、第二のブロック４１、４２を連結する連結部４３とを備えたもので、前記連結部４２に前記ビスｖ１を挿通させるためのビス挿通孔ｈ２が形成されている。前記連結部４３は、前記取付台座１２に嵌合し得る形状をなしている。第一、第二のブロック４１、４２の内方端面は、前記連結部４３の内方端面よりも内方に位置しており、前記第一、第二のブロック４１、４２間に、前記配線カバー２の両側に常時開口する隙間Ｓ（ｓ３）に連通する空間が形成されている。なお、第一、第二のブロック４１、４２には、開放位置にある配線カバー２における一方の端縁ｊ１側の部位に係わり合う回動範囲規制用の突部ｔ１、ｔ２が設けられている。
【００３２】
第一の片持ち軸Ｄは、図９に示すように、ベース４における第一のブロック４１の内方端面に突設されたもので、大径部ｄ１と小径部ｄ２とを円周方向に隣接させて設けたものである。
【００３３】
第二の片持ち軸Ｅは、ベース４における第二のブロック４２の内方端面に突設されたもので、大径部ｄ１と小径部ｄ２とを円周方向に隣接させて設けたものである。なお、第一の片持ち軸Ｄと第二の片持ち軸Ｅとは前後対称形状をなしている。
【００３４】
軸受部材Ｆは、配線カバー２の下面における左右両側縁部に設けられたもので、第一の片持ち軸Ｄの小径部ｄ２、又は、第二の片持ち軸Ｅの小径部ｅ２に爪先ｆ１１を常時係接させた係止壁ｆ１を備えるとともに、第一の片持ち軸Ｄの小径部ｄ２から大径部ｄ１に至る部位、又は、第二の片持ち軸Ｅの小径部ｅ２から大径部ｅ１に至る部位に爪先ｆ２１を係接させた弾性爪ｆ２とを備えたもので、これら係止壁ｆ１と弾性爪ｆ２とが協働して第一の片持ち軸Ｄ、又は、第二の片持ち軸Ｅを回転可能に包持するようになっている。これらの係止壁ｆ１、及び、弾性爪ｆ２は、前記配線カバー２の下面に一体に形成されている。配線カバー２が開放位置にある場合は、弾性爪ｆ２の爪先ｆ２１が、前記第一、第二の片持ち軸Ｄ、Ｅの小径部ｄ２に添接しつつ、大径部ｄ１との境界部分に形成される段部において係止され得るようになっている。これにより、開放位置にある配線カバー２が閉止位置へ滑らかに遷移してしまうのを規制している。
【００３５】
配線カバー２の下面における他方の端縁ｊ２側の両側部には、ストッパとして機能する場合の第二の片持ち軸Ｅ、又は、ストッパとして機能する場合の第一の片持ち軸Ｄに弾接する補助弾性爪Ｇが設けられている。この補助弾性爪Ｇは、配線カバー２を閉止位置にクリックストップさせておくためのものである。
【００３６】
以上説明した天板１の下面には、前後方向に延びる対をなす第一の補強ビーム５と、左右方向に延びる対をなす第二の補強ビーム６とが前記配線挿通窓１１を囲繞するようにして止着されている。そして、前記第一の補強ビーム５に関連させて前記天板１を支持するための脚７が設けられている。
【００３７】
前記脚７は、前記第一の補強ビーム５に係わり合わせて前記天板１に取付けられたブラケット７１と、このブラケット７１に止着された上下方向に延びた脚本体７２とを備えたものである。
【００３８】
なお、図４における符号４４は、第一のブロック４１に上から嵌着され前記隙間Ｓの形を整えるための化粧用キャップである。また、符号８は、天板１の配線挿通窓１１の小口端面を隠すためのカバー枠８である。このカバー枠８は、四つのベース４の外周囲に嵌め合わされた状態で配線挿通窓１１に装着されている。符号９は、前記配線挿通窓１１の下方に位置させて前記天板１の下面に取付けられた配線ダクトである。配線ダクト９には、水平壁９１の上に電気供給用の機器や配線等が配置され得るようになっている。
【００３９】
以上説明したように、本実施形態に係るテーブルＡは、配線挿通窓１１を有した天板１と、前記配線挿通窓１１の開口縁Ｋとの間に配線挿通用の隙間Ｓを形成した状態でその配線挿通窓１１に配された配線カバー２と、この配線カバー２を前記天板１に対して開閉動作可能に支持させるカバー支持機構３とを備えている。そして、カバー支持機構３が、前記配線挿通窓１１に固定配置された第一、第二の片持ち軸Ｄ、Ｅと、前記配線カバー２に設けられ前記第一、第二の片持ち軸Ｄ、Ｅに選択的に支持される軸受部材Ｆとを備えたものであり、前記軸受部材Ｆを第一の片持ち軸Ｄに支持させた場合と、前記軸受部材Ｆを第二の片持ち軸Ｅに支持させた場合とで、前記配線カバー２の外縁Ｊと前記配線挿通窓１１の開口縁Ｋとの間に形成される隙間Ｓの形態が相互に異なるように構成されている。このため、配線挿通窓１１と配線カバー２との間に形成される隙間Ｓの形態を変更可能に構成したテーブルを提供することができるものとなる。
【００４０】
つまり、配線カバー２の軸受部材Ｆを、第一の片持ち軸Ｄに支持させた場合には、図１〜１０に示すように、配線カバー２における他方の端縁ｊ２と配線挿通窓１１における開口縁Ｋとの間、及び、配線カバー２における左右両側端縁ｊ３と配線挿通窓１１における開口縁Ｋとの間にそれぞれ隙間Ｓ（ｓ１、ｓ３）が形成されることになり、概ね平面視コ字形をなす隙間Ｓを構成するものとなる。なお、この実施形態では、前記配線カバー２と前記カバー支持機構３との組合せ構造体Ｃａ、Ｃｂを二組備えており、前記配線挿通窓１１の一方の片半部１１ａに前記一方の組合せ構造体Ｃａを配するとともに前記配線挿通窓１１の他方の片半部１１ｂに前記他方の組合せ構造体Ｃｂを配し、両組み合わせ構造体Ｃａ、Ｃｂは前後対称に配されている。このため、二組の組み合わせ構造体Ｃａ、Ｃｂと配線挿通窓１１との間には、二つのコ字形の隙間が連続することにより構成されたロ字形の隙間Ｓが構成されたもの（以下、この配線カバー２の配設態様を「ロ字形隙間形成タイプ」と称する。）となっている。なお、ロ字形隙間形成タイプでは、両配線カバー２の回動端が近接して配され、両配線カバー２の基端部が離間して配された内開き態様を構成するものとなっている。
【００４１】
その一方で、配線カバー２の軸受部材Ｆを、第二の片持ち軸Ｅに支持させた場合には、図１１〜１３に示すように、配線カバー２における他方の端縁ｊ２同士間、及び、配線カバー２における左右両側端縁ｊ３と配線挿通窓１１における開口縁Ｋとの間にそれぞれ隙間Ｓ（ｓ２、ｓ３）が形成されることになり、全体として概ね平面視Ｈ字形をなす隙間Ｓが構成されたもの（以下、この配線カバー２の配設態様を「Ｈ字形隙間形成タイプ」と称する。）となっている。なお、Ｈ字形隙間形成タイプでは、両配線カバー２の基端部が近接して配され、両配線カバー２の回動端が離間して配された外開き態様を構成するものとなっている。
【００４２】
このように、本実施形態のテーブルＡであれば、閉止位置にある配線カバー２と配線挿通窓１１との間の隙間Ｓの形態を、相互に異なる形態、すなわち、ロ字形隙間形成タイプとＨ字形隙間形成タイプとに変更可能に構成することができるものであるため、そのテーブルＡの利用形態に応じて好適なタイプを選択的に使用することができるものとなっている。
【００４３】
カバー支持機構３が、前記配線カバー２の軸受部材Ｆを第一の片持ち軸Ｄに支持させた場合に、第二の片持ち軸Ｆが前記配線カバー２の回動端側を係止するストッパとしての機能を発揮し得るものとなっている。一方で、カバー支持機構３は、前記配線カバー２の軸受部材Ｆを第二の片持ち軸Ｅに支持させた場合に、第一の片持ち軸Ｄが前記配線カバー２の回動端側を係止するストッパとしての機能を発揮し得るものとなっている。このため、第一、第二の片持ち軸Ｄ、Ｅは、配線カバー２の回動軸としての機能を発揮するだけでなく、配線カバー２の回動端側のストッパとしての機能を発揮し得るものとなっている。
【００４４】
カバー支持機構３が、配線カバー２の両側部に位置させて前記配線挿通窓１１に設けられる左右一対のベース４と、これら各ベース４の前後方向一端側に設けられた前記第一の片持ち軸Ｄと、前記各ベース４の前後方向他端側に設けられた前記第二の片持ち軸Ｅと、前記配線カバー２における一方の端縁部近傍に設けられた左右対をなす前記軸受部材Ｆとを備えたものである。このため、ベース４に第一、第二の片持ち軸Ｄ、Ｅを設けたものであるため、配線挿通窓１１に、第一、第二の片持ち軸Ｄ、Ｅを設けるための設計の自由度に優れたものとなる。
【００４５】
二組の組合せ構造体Ｃａ、Ｃｂを備えており、これらが配線挿通窓１１内に前後対称に配置されている。そして、前記配線カバー２の一方の端縁ｊ１側に設けられた前記軸受部材Ｆを、前記第一の片持ち軸Ｄにそれぞれ支持させた状態で、前記各配線カバー２の他方の端縁ｊ２と前記配線挿通窓１１の開口縁Ｋとの間に隙間Ｓ（ｓ１、ｓ３）が形成され、前記軸受部材Ｆを、前記第二の片持ち軸Ｄにそれぞれ支持させた状態で、前記各配線カバー２の他方の端縁ｊ２間に前記隙間Ｓ（ｓ２）が形成されるように構成されている。このため、閉止位置にある配線カバー２と配線挿通窓１１との間の隙間Ｓの形態を、相互に異なる形態、すなわち、二組の組み合わせ構造体Ｃａ、Ｃｂの配設によって、ロ字形隙間形成タイプとＨ字形隙間形成タイプとに変更可能に構成することができるものとなっている。
【００４６】
配線カバー２の左右両側端縁ｊ３と前記配線挿通窓１１の開口縁Ｋとの間に、常時開口する隙間Ｓ（ｓ３）が形成されるように構成されている。このため、配線カバー２の付け替えに伴って配線類を移動させる必要のない常時開口する隙間Ｓ（ｓ３）が存在することになるため、執務の便宜に資するものとなる。
【００４７】
なお、本発明は、以上に詳述した実施形態に限られるものではない。
【００４８】
上述した実施形態では、配線カバーを２つ使用した態様、すなわち、一方、他方の組み合わせ構造体を配してなるものについて説明していたが、このようなものには限られず、例えば、配線カバーを１つだけ使用した態様、すなわち、一の組み合わせ構造体のみを用いてなるものであってもよい。また、組み合わせ構造体の配設箇所は、天板の中央部に限られるものではないのはもちろんのことである。
【００４９】
ここで、図１４では、天板１の端縁部１ｅに、切欠状の配線挿通窓１１を有し、この配線挿通窓１１に組み合わせ構造体である配線カバー２及びカバー支持機構３を配してなる態様を示している。このようなものであっても、軸受部材Ｆを、第一の片持ち軸Ｄに支持させた場合と、軸受部材Ｆを第二の片持ち軸Ｅに支持させた場合とで、前記配線カバー２の外縁Ｊと前記配線挿通窓１１の開口縁Ｋとの間に形成される隙間Ｓの形態が相互に異なるように構成することができるため、所期の目的を達成することができるものとなる。図１４の例では、配線挿通窓１１の開口縁Ｋと配線カバー２の一方の端縁ｊ１との間、及び、配線挿通窓１１の開口縁Ｋと配線カバー２の左右両側端縁ｊ３との間に隙間（ｓ１、ｓ３）が形成されることとなる。なお、当該他の実施形態の説明においては、同一又は対応する構成については同一の符号を付して説明し、詳細な説明を省略している。
【００５０】
第一、第二の枢支部、及び、被支持部の形状は種々のものを採用することができる。例えば、第一、第二の枢支部を軸受部材とし、被支持部を片持ち軸としてもよい。
【００５１】
配線カバーが、第一、第二の枢支部に対してスライド移動し得る構成を備えたものであってもよい。このようなカバー支持機構の構成としては、例えば、次のようなものが考えられる。
【００５２】
すなわち、ベースに設けた第一、第二の枢支部を、それぞれ片持ち軸とするとともに、配線カバーに設けた被支持部を、前記片持ち軸を保持し得る軸受部材とする。ここで、軸受部材は、配線カバーの両側縁部にそれぞれ二箇所ずつ設けられている。具体的には、配線カバーは、その両側縁部における一方の端縁側近傍と他方の端縁側近傍に、一方の軸受部材と他方の軸受部材を備えている。しかして、配線カバーは、その両側縁部における前記一方の軸受部材と他方の軸受部材との間に、前記第一の片持ち軸、又は、第二の片持ち軸がスライド可能に構成された溝（長溝）を設けたものとしている。溝は、一方及び他方の軸受部材に連続したものとなっている。前記一方の軸受部材と他方の軸受部材は、第一、第二の片持ち軸と節度係合し得るものとなっており、当該第一、第二の片持ち軸を回転可能に保持し得るように構成されている。
【００５３】
このようなものであれば、例えば、配線カバーを天板に対して起立した状態にし、この状態で、一方又は他方の軸受部材に係合させた第一又は第二の片持ち軸を、溝内をスライドに移動させることにより、配線カバーが、起立した状態で（開放位置にある状態で）下方に移動することができるものとなる。
【００５４】
上述した明細書においては説明の便宜上、図１に示すＸ方向を前後方向と呼び、図１に示すＹ方向を左右方向と呼ぶものとしたが、Ｙ方向を前後方向とし、Ｘ方向を左右方向とした構成としてもよい。
【００５５】
その他、各部の具体的構成についても上記実施形態に限られるものではなく、本発明の趣旨を逸脱しない範囲で種々変形が可能である。
【符号の説明】
【００５６】
１…天板
２…配線カバー
３…カバー支持機構
１１…配線挿通窓
Ａ…テーブル（天板付家具）
Ｄ…第一の片持ち軸（第一の枢支部）
Ｅ…第二の片持ち軸（第二の枢支部）
Ｆ…軸受部材（被支持部）
Ｓ…隙間
【図１】
0006728627.tif 000002
【図２】
0006728627.tif 000003
【図３】
0006728627.tif 000004
【図４】
0006728627.tif 000005
【図５】
0006728627.tif 000006
【図６】
0006728627.tif 000007
【図７】
0006728627.tif 000008
【図８】
0006728627.tif 000009
【図９】
0006728627.tif 000010
【図１０】
0006728627.tif 000011
【図１１】
0006728627.tif 000012
【図１２】
0006728627.tif 000013
【図１３】
0006728627.tif 000014
【図１４】
0006728627.tif 000015